(57)【要約】【課題】オペレータの視認精度を向上させ、オペレータの目視によるキャリブレーションをより正確に行う。【解決手段】Ｎ個のテストパターンを表示部１３に表示させる際、制御部１１は一画面に一のテストパターンを配置した画面データを生成し、そのテストパターンに設定された駆動レベルの情報とともに表示部１３に出力することにより、一画面に一パターンづつ切り替え表示させる。また、各切替画面においてその画面上に表示するテストパターンを、画面を切り替える毎に移動させて異なる表示位置に配置した画面データを生成し、各切替画面に亘ってその表示位置を変化させる。【選択図】図２
2006000199.tif 000002
【特許請求の範囲】
【請求項１】
医用画像表示装置の表示階調特性を補正するための複数のテストパターンを当該医用画像表示装置の表示手段に表示させるテストパターンの表示方法であって、
前記複数のテストパターンを一画面に一パターンづつ切り替えて表示させるとともに、各切替画面において表示するテストパターンの表示形態を変化させることを特徴とするテストパターンの表示方法。
【請求項２】
画面を切り替える毎にテストパターンの表示形態を変化させることを特徴とする請求項１に記載のテストパターンの表示方法。
【請求項３】
各切替画面内でテストパターンの表示形態を変化させることを特徴とする請求項１又は２に記載のテストパターンの表示方法。
【請求項４】
前記表示形態は、テストパターンの表示位置であることを特徴とする請求項１〜３の何れか一項に記載のテストパターンの表示方法。
【請求項５】
前記表示形態は、テストパターンの表示サイズであることを特徴とする請求項１〜３の何れか一項に記載のテストパターンの表示方法。
【請求項６】
前記表示形態は、テストパターンの表示形状であることを特徴とする請求項１〜３の何れか一項に記載のテストパターンの表示方法。
【請求項７】
各切替画面において表示されるテストパターンの背景領域の輝度レベルを、当該テストパターンの輝度レベルに対応させることを特徴とする請求項１〜６の何れか一項に記載のテストパターンの表示方法。
【請求項８】
医用画像を表示する表示手段と、
医用画像表示装置の表示階調特性を補正するための複数のテストパターンを一画面に一パターンづつ切り替えて前記表示手段に表示させるとともに、各切替画面において表示するテストパターンの表示形態を変化させる制御手段と、
を備えることを特徴とする医用画像表示装置。
【請求項９】
コンピュータに、
医用画像を表示手段に表示させる機能と、
医用画像表示装置の表示階調特性を補正するための複数のテストパターンを一画面に一パターンづつ切り替えて前記表示手段に表示させるとともに、各切替画面において表示するテストパターンの表示形態を変化させる機能と、
を実現するためのプログラム。
【発明の詳細な説明】
【技術分野】
【０００１】
本発明は、観察者の目視により医用画像表示装置の表示階調特性を補正する際に使用するテストパターンの表示方法、テストパターンを表示する医用画像表示装置及びプログラムに関する。
【背景技術】
【０００２】
医療の分野では、Ｘ線撮影、ＭＲＩ（Magnetic Resonance Imaging）撮影、超音波撮影等、様々な検査撮影により得られた患者の医用画像をモニタに表示させて読影を行うモニタ診断が普及している。また、病院内外におけるネットワークの発展に伴い、同一画像を異なる場所のモニタで読影することも可能である。しかし、読影に使用するモニタがＬＣＤ（Liquid Crystal Display）、ＣＲＴ（Cathode Ray Tube）等、異なる種類である場合、表示特性が異なるため同一画像でも画像の見え方が異なり、また、同一種類のモニタでもその使用による劣化の程度や設置環境等により、やはり画像の見え方が異なる場合がある。
【０００３】
このように、個々のモニタで画像の見え方にばらつきがあると、診断精度に影響を及ぼすため、表示階調特性の補正（以下、キャリブレーションという）を行って各モニタにおける画像の見え方を統一することが必要である。従来から、輝度計を用いてキャリブレーションが行われているが、輝度計は一般に高価なものであるため輝度計を用いてのキャリブレーションはコスト高となる。また、読影用のモニタが何台もある場合、各モニタについて逐一輝度計によりキャリブレーションを行う作業は非常に手間がかかり、煩雑である。
【０００４】
一方、輝度計を使用してキャリブレーションを実施後、オペレータが目視でキャリブレーション結果を確認する方法も提案されている（例えば特許文献１参照）。この特許文献１に記載のキャリブレーション方法は、図１９に示すように、それぞれ異なる輝度レベルで表示された複数のテストパターンをモニタ上に表示して、オペレータ（観察者）に各テストパターンの輝度レベルを目視により確認させるものである。
【特許文献１】特開平１１−３２７５０１号公報
【発明の開示】
【発明が解決しようとする課題】
【０００５】
しかしながら、図１９に示すように、一画面上に複数のテストパターンを表示してキャリブレーションを行う場合、判定対象のテストパターンとともにその隣接するテストパターンがオペレータの視野に入るため、オペレータの視認精度が低下し、正確なキャリブレーションを行うことが困難となる。
【０００６】
また、同じ形状、同じサイズのテストパターンが常に同じ位置で表示されるため、オペレータの目に前回の判定対象のテストパターンの残像が残る場合がある。この場合、前回のテストパターンが後に表示される判定対象のテストパターンに影響することにより、オペレータの視認精度が低下する可能性がある。
【０００７】
本発明の課題は、オペレータの視認精度を向上させ、オペレータの目視によるキャリブレーションをより正確に行うことを可能とすることである。
【課題を解決するための手段】
【０００８】
請求項１に記載の発明は、テストパターンの表示方法において、
医用画像表示装置の表示階調特性を補正するための複数のテストパターンを当該医用画像表示装置の表示手段に表示させるテストパターンの表示方法であって、
前記複数のテストパターンを一画面に一パターンづつ切り替えて表示させるとともに、各切替画面において表示するテストパターンの表示形態を変化させることを特徴とする。
【０００９】
請求項２に記載の発明は、請求項１に記載のテストパターンの表示方法において、
画面を切り替える毎にテストパターンの表示形態を変化させることを特徴とする。
【００１０】
請求項３に記載の発明は、請求項１又は２に記載のテストパターンの表示方法において、
各切替画面内でテストパターンの表示形態を変化させることを特徴とする。
【００１１】
請求項４に記載の発明は、請求項１〜３の何れか一項に記載のテストパターンの表示方法において、
前記表示形態は、テストパターンの表示位置であることを特徴とする。
【００１２】
請求項５に記載の発明は、請求項１〜３の何れか一項に記載のテストパターンの表示方法において、
前記表示形態は、テストパターンの表示サイズであることを特徴とする。
【００１３】
請求項６に記載の発明は、請求項１〜３の何れか一項に記載のテストパターンの表示方法において、
前記表示形態は、テストパターンの表示形状であることを特徴とする。
【００１４】
請求項７に記載の発明は、請求項１〜６の何れか一項に記載のテストパターンの表示方法において、
各切替画面において表示されるテストパターンの背景領域の輝度レベルを、当該テストパターンの輝度レベルに対応させることを特徴とする。
【００１５】
請求項８に記載の発明は、医用画像表示装置において、
医用画像を表示する表示手段と、
医用画像表示装置の表示階調特性を補正するための複数のテストパターンを一画面に一パターンづつ切り替えて前記表示手段に表示させるとともに、各切替画面において表示するテストパターンの表示形態を変化させる制御手段と、
を備えることを特徴とする。
【００１６】
請求項９に記載の発明は、
コンピュータに、
医用画像を表示手段に表示させる機能と、
医用画像表示装置の表示階調特性を補正するための複数のテストパターンを一画面に一パターンづつ切り替えて前記表示手段に表示させるとともに、各切替画面において表示するテストパターンの表示形態を変化させる機能と、
を実現するためのプログラムであることを特徴とする。
【発明の効果】
【００１７】
請求項１、８、９に記載の発明によれば、テストパターンを表示する際に、一画面に一パターンづつ切替表示させるので、視認すべきテストパターン以外の他のテストパターンがオペレータの視野に入ることにより、視認精度が低下することを防止することができる。また、各切替画面において表示するテストパターンの表示形態を変化させるので、テストパターンの残像が残ることを防止する、或いはテストパターンの残像が残った場合でもその残像が次に視認すべきテストパターンに影響することを防止することができる。従って、より正確なキャリブレーションを行うことができる。
【００１８】
請求項２に記載の発明によれば、画面を切り替える毎にテストパターンの表示形態を変化させるので、前の画面で表示されたテストパターンが後の画面で表示されるテストパターンの視認に影響を及ぼすことを防止することができる。
【００１９】
請求項３に記載の発明によれば、各切替画面内でテストパターンの表示形態を変化させるので、一画面内で表示するテストパターンの表示形態を常に変化させることにより、テストパターンの残像が発生することを防止することができる。
【００２０】
請求項４に記載の発明によれば、画面を切り替える毎にテストパターンの表示位置を変化させた場合、前画面のテストパターンの残像が残った際にも次に視認すべきテストパターンとは異なる位置に残るので、前画面のテストパターンの残像が後の画面で表示されるテストパターンに影響を及ぼすことを防止することができる。一方、各切替画面内で表示位置を変化させた場合、テストパターンの表示位置が固定されないため、その残像の発生を防止することができる。
【００２１】
請求項５に記載の発明によれば、テストパターンの表示サイズを、画面を切り替える毎、或いは各切替画面内において変化させることにより、テストパターンの表示形態が固定されず、その残像の発生を防止することができる。或いは、残像が発生した場合でも後の画面で表示されるテストパターンへの影響を減ずることができ、オペレータの視認精度の低下を防止することができる。
【００２２】
請求項６に記載の発明によれば、テストパターンの表示形状を変化させるので、画面を切り替える毎、或いは各切替画面内において変化させることにより、テストパターンの表示形態が固定されず、その残像の発生を防止することができる。或いは、残像が発生した場合でも後のテストパターンへの影響を減ずることができ、オペレータの視認精度の低下を防止することができる。
【発明を実施するための最良の形態】
【００２３】
〈第１実施形態〉
第１実施形態では、複数のテストパターンを一画面に一パターンづつ切り替えて表示するとともに、各切替画面におけるテストパターンの表示位置をその画面を切り替える毎に変化させる例を説明する。
【００２４】
まず、構成を説明する。
図１に、第１実施形態における医用画像表示装置１０の内部構成を示す。
図１に示すように、医用画像表示装置１０は、制御部１１、操作部１２、表示部１３、通信部１４、ＲＡＭ（Random Access Memory）１５、記憶部１６から構成されている。
【００２５】
制御部１１は、記憶部１６に記憶されているシステムプログラム、本発明に係る第１のパターン表示処理プログラム、キャリブレーション処理プログラム等の各種制御プログラムをＲＡＭ１５に展開し、当該制御プログラムに従って各部の動作を集中制御する。
【００２６】
第１のパターン表示処理では、医用画像表示装置１０で表示駆動可能な駆動レベルのレベル範囲をＮ等分し、そのＮ等分された駆動レベルがそれぞれ設定されたＮ個の各テストパターンをその駆動レベルの情報とともに表示部１３に出力して、各テストパターンを設定された駆動レベルで表示駆動させる。すなわち、各テストパターンをＮ等分された各駆動レベルに応じた輝度レベルで表示させることとなる。各テストパターンは、異なる輝度レベルで表示されるように異なる駆動レベルが設定された２つの表示領域から形成されているものである。
【００２７】
このＮ個のテストパターンを表示部１３に表示させる際、制御部１１は一画面に一のテストパターンを配置した画面データを生成し、そのテストパターンに設定された駆動レベルの情報とともに表示部１３に出力することにより、一画面に一パターンづつ切り替え表示させる。また、各切替画面においてその画面上に表示するテストパターンを、画面を切り替える毎に移動させて異なる表示位置に配置した画面データを生成し、各切替画面に亘ってその表示位置を変化させる。すなわち、制御部１１と第１のパターン処理プログラムとの協働により、制御手段を実現することができる。
【００２８】
キャリブレーション処理では、表示されたテストパターンについて、操作部１２を介して輝度レベルの調整操作が為されると、その操作指示に応じてテストパターンにおける駆動レベルを変更して表示部１３により表示駆動させる。調整操作が終了すると、各テストパターンを形成する２つの表示領域の駆動レベルの値に基づいて医用画像表示装置１０の表示階調特性を補正する補正曲線を算出する。そして、当該補正曲線の入力値に対する出力値を規定したＬＵＴ（Look Up Table）を作成し、記憶部１６に記憶させる。
【００２９】
なお、表示特性とは駆動レベルと輝度レベルとの相関をいい、表示階調特性とは表示対象の画像データにおける画素値の入力レベルとその画像データを表示出力した際における輝度レベルとの相関をいう。
【００３０】
操作部１２は、キーボードやマウスを有し、これらキーボードやマウスが操作されると、その操作に応じた操作信号を生成して制御部１１に出力する。なお、操作部１２は、表示部１３と一体に形成されたタッチパネル等を有することとしてもよい。
【００３１】
表示部１３は、ＬＣＤ、ＣＲＴ等のモニタを有する表示手段であり、制御部１１による制御に従って当該モニタを駆動し、操作画面、テストパターンの表示画面等の各種画面データを表示する。なお、各テストパターン［ｎ］を表示する際には、ともに入力された駆動レベル情報に従って指定された駆動レベルでモニタを表示駆動する。
【００３２】
通信部１４は、ＮＩＣ（Network Interface Card）やモデム、ルータ等の通信用インターフェイスを有し、これら通信用インターフェイスを介して病院内に設けられたＬＡＮ（Local Area Network）上の外部機器とデータ通信を行う。例えば、患者の医用画像がデータベース化されて管理されている画像サーバにアクセスして医用画像のデータを取得する。
【００３３】
ＲＡＭ１５は、制御部１１において実行される各種プログラムや、これらプログラムによって処理されたデータ等を一時的に記憶するワークエリアを形成する。
【００３４】
記憶部１６は、磁気的又は光学的記録媒体、若しくは半導体メモリ等により構成され、システムプログラム、キャリブレーション処理プログラム等の各種制御プロラグムを記憶している。また、キャリブレーション処理時に使用されるパラメータとして、各切替画面に亘ってテストパターンの表示位置を移動させる際の移動量のパラメータや、移動可能な領域範囲のパラメータ、表示部１３の表示画面サイズ等の情報を記憶しており、プログラムの処理結果として、例えばキャリブレーション処理により作成された、医用画像表示装置１０の表示階調特性を補正するためのＬＵＴを記憶している。
【００３５】
また、記憶部１６はキャリブレーション処理において使用される複数のテストパターンのデータを記憶している。
図２に、テストパターン例を示す。
図２に示すように、テストパターン［ｎ］（括弧内のｎは各テストパターンを識別するために付されたパターン番号を示す。ｎ＝１、・・・、Ｎ）は表示部１３において駆動可能な駆動レベルのレベル範囲、つまり０〜最大駆動レベルＤＤＬmaxをＮ等分し、Ｎ等分されたそれぞれの駆動レベルに対応して作成されたものである。なお、本実施形態では８等分した例を示したが、等分するＮ数はキャリブレーションの精度により適宜設定可能であるとする。高精度にキャリブレーションを行いたい場合はＮ数を増加させることが好ましい。
【００３６】
各テストパターン［ｎ］には、図３に示すように異なる駆動レベルが設定された２つの表示領域が形成されている。一方の表示領域には最大駆動レベルＤＤＬmaxがＮ等分された駆動レベルが設定され、他方の表示領域にはその一方の表示領域に設定された駆動レベルより一定レベル高い駆動レベルが設定されている。このＮ等分された駆動レベルが設定された表示領域を基準ターゲットといい、基準ターゲットより高輝度レベルとなるように駆動レベルが設定された表示領域を調整ターゲットという。
【００３７】
基準ターゲットの駆動レベルをＤＤＬＫ［ｎ］、調整ターゲットの駆動レベルをＤＤＬＴ［ｎ］とすると、ＤＤＬＫ［ｎ］は下記式１により示され、ＤＤＬＴ［ｎ］は下記式２により示される。
【数１】
2006000199.tif 000003
【００３８】
なお、図２及び図３に示したような方形状の表示領域からなるテストパターン［ｎ］に限らず、図４及び図５に示すようなライン状の表示領域から形成されるテストパターン［ｎ］であってもよい。この場合も同様に最大駆動レベルＤＤＬmaxがＮ等分され、そのＮ等分された各駆動レベルが設定されたＮ個のテストパターン［ｎ］が作成される。
【００３９】
図４に示す各テストパターン［ｎ］には、図５に示すように異なる駆動レベルが設定された２つのライン状の表示領域を１対のラインペアとして、複数対のラインペアが形成されている。ラインペアの一方のラインには最大駆動レベルＤＤＬmaxがＮ等分された駆動レベルが設定され、他方のラインにはその一方のラインに設定された駆動レベルより一定レベル高い駆動レベルが設定されている。このＮ等分された駆動レベルが設定されたラインが基準ターゲットであり、基準ターゲットより高レベルとなるように駆動レベルが設定されたラインが調整ターゲットである。
なお、以下の説明ではテストパターン［ｎ］の種類を区別するため、図２及び図３に示すテストパターンを方形パターン、図４及び図５に示すテストパターンをラインパターンという場合がある。
【００４０】
次に、上記テストパターン［ｎ］を用いて本実施形態の医用画像表示装置１０により実行される第１のパターン表示処理及びキャリブレーション処理について説明する。
図６は第１のパターン表示処理を説明するフローチャートであり、図７はその処理時に表示される表示画面の遷移を示す図である。この処理は、環境設定メニューからキャリブレーションが選択されると開始される。
【００４１】
図６に示す第１のパターン表示処理では、まず表示するテストパターンのパターン番号ｎが初期値であるｎ＝１に設定される（ステップＳ１１）。パターン番号ｎが設定されると、制御部１１においてそのパターン番号ｎのテストパターン［ｎ］のデータが記憶部１６から読み出される。そして、テストパターン［ｎ］が表示画面上の予め定められた初期位置に配置され、かつそのテストパターン［ｎ］の背景領域の駆動レベルがテストパターン［ｎ］の基準ターゲットと同一駆動レベルＤＤＬＫ［ｎ］に設定された表示画面データが生成される。生成された表示画面データはその各表示領域の駆動レベル情報とともに表示部１３に出力され、表示部１３では駆動レベル情報に従ってモニタの表示駆動が行われ、テストパターン［ｎ］を含む表示画面が表示される（ステップＳ１２）。
【００４２】
図７は、テストパターン［１］、［３］、［５］の表示画面例である。テストパターン［３］を例に説明すると、一画面に一パターンのみ表示され、かつその背景領域が基準ターゲットと同一の駆動レベルで表示駆動されるため基準ターゲットの表示領域と同一輝度レベルで表示される。また、テストパターン［３］は初期位置として予め設定されている位置に配置されて表示されている。なお、図中の点線は、テストパターン［ｎ］を移動させることが可能な領域として予め設定された領域範囲ｒを示すものであり、実際に表示画面上で点線が表示されるわけではない。
【００４３】
このようにしてテストパターン［ｎ］が表示されると、オペレータは操作部１２を介して、テストパターン［ｎ］中の調整ターゲットと基準ターゲットの輝度レベル差が目視により視認できる最小の輝度レベル差となるまで、調整ターゲットの輝度レベルを上げる又は下げる調整操作を行う。視認できる最小の輝度レベル差とは、オペレータが調整ターゲットの輝度レベルを基準ターゲットの輝度レベルに合わせて調整した結果、その輝度レベル差が視認できる限界における輝度レベル差をいう。具体的には調整ターゲットの輝度レベルをあと１レベル下げると、オペレータが調整ターゲットと基準ターゲットの輝度レベル差を識別できなくなる段階まで輝度レベルを調整する。
【００４４】
医用画像表示装置１０では、操作部１２を介して調整ターゲットの輝度調整の操作がなされると、その操作信号が信号解析され、輝度レベルを上げる又は下げるの何れか操作指示されたか否かが判別される（ステップＳ１３）。輝度レベルを上げるように操作指示された場合（ステップＳ１３；ｕｐ）、調整ターゲットの駆動レベルＤＤＬＴ［ｎ］が１レベル分増加され、表示中の調整ターゲットが増加された駆動レベルＤＤＬＴ［ｎ］で表示駆動される（ステップＳ１４）。一方、輝度を下げるように操作指示された場合（ステップＳ１３；ｄｏｗｎ）、調整ターゲットの駆動レベルＤＤＬＴ［ｎ］が１レベル分下げられ、表示中の調整ターゲットが下げられた駆動レベルＤＤＬＴ［ｎ］で表示駆動される（ステップＳ１５）。すなわち、一操作に応じて１駆動レベル分だけ輝度レベルが上下されて表示される。なお、調整ターゲットの輝度レベルを下げる操作が繰り返された場合でも、調整ターゲットの輝度レベルが基準ターゲットの輝度レベル以下とならないように、基準ターゲットの駆動レベル以下となる調整操作を無効とする等してその調整操作を制限することとする。
【００４５】
駆動レベルの調整操作が行われると、調整操作が終了したか否かが判別され（ステップＳ１６）、まだ操作部１２を介して調整操作が行われている場合は（ステップＳ１６；Ｎ）、ステップＳ１３の処理に戻り、入力される操作指示に従って輝度レベルが調整される。一方、調整操作が終了した場合（ステップＳ１６；Ｙ）、調整終了時におけるテストパターン［ｎ］の調整ターゲットの駆動レベルＤＤＬＴ′［ｎ］が判別され、当該駆動レベルＤＤＬＴ′［ｎ］と基準ターゲットの駆動レベルＤＤＬＫ［ｎ］との差ΔＤＤＬjnd［ｎ］が算出される（ステップＳ１７）。このΔＤＤＬjnd［ｎ］は、そのテストパターン［ｎ］においてオペレータが視認可能な最小の輝度レベル差に対応する。
【００４６】
次いで、全てのテストパターン［ｎ］について上述した調整操作が終了したか否かが判別される（ステップＳ１８）。全てのテストパターンについて調整操作が終了していない場合（ステップＳ１８；Ｎ）、パターン番号ｎが１だけインクリメントされる（ステップＳ１９）。そして、インクリメントされたパターン番号ｎのテストパターン［ｎ］のデータが記憶部１６から読み出され、当該テストパターン［ｎ］を現在表示中のテストパターン［ｎ］の表示位置から所定量だけ移動されて配置され、かつそのテストパターン［ｎ］の背景領域の駆動レベルがテストパターン［ｎ］の基準ターゲットと同一駆動レベルＤＤＬＫ［ｎ］に設定された表示画面データが生成される。なお、テストパターン［ｎ］の表示位置は、予め定められた領域範囲ｒ内で移動することとする。
【００４７】
生成された表示画面データはその各表示領域の駆動レベル情報とともに表示部１３に出力され、表示部１３では駆動レベル情報に従ってモニタの表示駆動が行われ、テストパターン［ｎ］を含む表示画面データが表示される（ステップＳ２０）。このように次のパターン番号ｎのテストパターン［ｎ］が表示されると、ステップＳ１３の処理に戻り、当該テストパターン［ｎ］について調整操作が繰り返される。
【００４８】
すなわち、表示部１３には、図７に示すように一画面に一のテストパターン［ｎ］のみが表示され、そのパターン番号順に各テストパターン［ｎ］が順次切り替え表示されていく。また、画面が切り替えられる毎にテストパターン［ｎ］の表示位置が所定量だけ移動され、各切替画面に亘って表示位置が変化する。
【００４９】
そして、全てのテストパターン［ｎ］が表示され、調整操作が終了した場合（ステップＳ１８；Ｙ）、図８に示すＬＵＴ作成処理に移行する。
図８に示すＬＵＴ作成処理では、図９に示すように各テストパターン［ｎ］の基準ターゲットの駆動レベルＤＤＬＫ［ｎ］に対して算出されたΔＤＤＬjnd［ｎ］がプロットされ、各プロット点の近似関数ｇ（ＤＤＬ）が算出される（ステップＳ１０１）。つまり、離散値である各ΔＤＤＬjnd［ｎ］が補間されて全レベル範囲の駆動レベルＤＤＬに対応する連続値が得られる。つまり近似関数ｇ（ＤＤＬ）は、駆動レベルＤＤＬと最小駆動レベル差ΔＤＤＬjnd［ｎ］との対応関係を示す関数である。
【００５０】
次いで、算出された関数ｇ（ＤＤＬ）を駆動レベルＤＤＬ毎に積分した関数ｈ（ＤＤＬ）が下式３により算出される（ステップＳ１０２）。上記ｇ（ＤＤＬ）はｈ（ＤＤＬ）の傾きを示す。
【数２】
2006000199.tif 000004
【００５１】
図１０は、ｈ（ＤＤＬ）を示す図である。Ｘ軸は駆動レベルＤＤＬ、Ｙ軸は駆動レベルＤＤＬに対するｈ（ＤＤＬ）を示す。このとき、医用画像表示装置１０で駆動可能な最大駆動レベルＤＤＬmaxに対応するｈ（ＤＤＬ）の値をＩmaxとすると、このＩmaxが最大駆動レベルＤＤＬmaxに対応するようにｈ（ＤＤＬ）（つまり、Ｙ軸の値）が正規化され、正規化されたｈ（ＤＤＬ）を示すｆ（ＤＤＬ）が下式４により算出される（ステップＳ１０３）。
【数３】
2006000199.tif 000005
【００５２】
そして、図１０のＸ軸の単位である駆動レベルＤＤＬを画像値の入力レベルに置き換え（図中のＰmaxは医用画像表示装置１０で表現可能な最大階調を示す）、Ｙ軸の単位であるｈ（ＤＤＬ）を算出されたｆ（ＤＤＬ）に置き換えた、図１１に示すような曲線が作成される。この曲線により、画素値の入力レベルが最終的にその入力レベルに視覚的にリニアな輝度レベルで表示されるように、画素値の入力レベルから対応する輝度レベルを実現する駆動レベルを得ることができる。つまり医用画像表示装置１０の表示特性に応じて表示階調特性（つまり画素値の入力レベルとその入力レベルに応じて実際に表示された際の輝度レベルとの関係）を補正する補正曲線である。制御部３１では、この補正曲線の入力値に対する出力値が算出されてテーブル化され、ＬＵＴが作成される（ステップＳ１０４）。作成されたＬＵＴが医用画像表示装置１０の表示階調特性を補正するためのＬＵＴとして記憶部１６に記憶されると、本処理を終了する。
【００５３】
医用画像を表示する際には、作成されたＬＵＴが参照され、医用画像の画素値の入力レベル（入力値）に対応する駆動レベル（出力値）を得て当該駆動レベルで表示駆動が行われる。ＬＵＴにより得られた駆動レベルは、その駆動レベルで駆動表示された際の輝度レベルが画素値の入力レベルと視覚的にリニアな関係となるように補正された駆動レベルであるので、医用画像表示装置１０の表示特性及びオペレータの視覚特性に応じて、医用画像表示装置１０の表示階調特性が補正されたこととなる。
【００５４】
以上のように、第１実施形態によれば、キャリブレーション用のテストパターンを表示する際に、一画面に一パターンづつ切り替え表示させる。よって、オペレータの視野に視認すべきテストパターン以外の他のテストパターンが入ることにより、視認精度が低下することを防止することができる。よって、より正確なキャリブレーションを行うことができる。
【００５５】
また、画面が切り替わる毎にテストパターン［ｎ］の表示位置が移動されるので、前画面で表示されていたテストパターン［ｎ］の残像が生じた場合であっても、次画面のテストパターン［ｎ］は前画面におけるテストパターン［ｎ］の表示位置と異なる位置に表示されるので、前画面のテストパターン［ｎ］の残像がオペレータが視認中のテストパターン［ｎ］に影響することを防止することができる。
【００５６】
さらに、各切替画面では、テストパターン［ｎ］の背景領域は当該テストパターン［ｎ］の基準ターゲットと同一駆動レベルＤＤＬＫ［ｎ］であるため同一輝度レベルで表示される。このように、テストパターン［ｎ］の輝度レベルと背景領域の輝度レベルとを対応させることにより、オペレータの目がその輝度レベルに順応し視認精度が向上する。なお、本実施形態では背景領域の駆動レベルを基準ターゲットと同一駆動レベルＤＤＬＫ［ｎ］とすることとしたが、テストパターン［ｎ］の輝度レベルに対応して背景領域の輝度レベルも変化するのであれば、例えば背景領域の駆動レベルをＤＤＬＫ［ｎ］とＤＤＬＴ［ｎ］の平均値とする、ＤＤＬＫ［ｎ］〜ＤＤＬＴ［ｎ］の範囲内で設定する等、他の値を設定することとしてもよい。
【００５７】
また、本実施形態では、方形パターンを用いた例を説明したが、ラインパターンを用いた場合も同様の処理が行われる。図１２に、ラインパターンが使用された場合の画面遷移図を示す。方形パターンの場合と同様に一画面に一パターンづつ切替表示され、画面が切り替わる毎にラインパターンの表示位置が移動されている。
【００５８】
〈第２実施形態〉
第２実施形態では、複数のテストパターンを一画面に一パターンづつ切り替えて表示するとともに、各切替画面においてテストパターンの表示位置をその画面内で変化させる例を説明する。
【００５９】
まず、構成について説明する。
第２実施形態における医用画像表示装置は、第１実施形態の医用画像表示装置１０と略同一構成であるのでその図示を省略し、同一構成部分には同一の符号を付して異なる機能部分についてのみ説明する。すなわち、第２実施形態における医用画像表示装置１０は、制御部１１、操作部１２、表示部１３、通信部１４、ＲＡＭ１５、記憶部１６から構成されている。
【００６０】
制御部１１は、本発明に係る第２のパターン表示処理プログラムを記憶部１６から読み出して、このプログラムに従って各部の処理動作を集中制御する。
第２のパターン表示処理では、Ｎ個のテストパターン［ｎ］を表示部１３に表示させる際、制御部１１は一画面に一のテストパターン［ｎ］を配置した画面データをそのテストパターン［ｎ］に設定された駆動レベルの情報とともに表示部１３に出力することにより、一画面に一パターンづつ切り替え表示させる。また、各切替画面においてその画面上に表示するテストパターン［ｎ］の表示位置を所定の速度で移動させることにより、表示位置を変化させる。すなわち、制御部３１と第２のパターン処理プログラムとの協働により、制御手段を実現することができる。
【００６１】
記憶部１６は、第２のパターン表示処理プログラムを記憶している。また、その処理時におけるパラメータとして、各切替画面においてテストパターン［ｎ］の表示位置を移動させる際の速度（本実施形態では０．５ｃｍ／ｓとする）の情報、移動可能な領域範囲の情報等を記憶している。
【００６２】
次に、第２実施形態における医用画像表示装置１０の動作について説明する。
図１３は、医用画像表示装置１０により実行される第２のパターン表示処理を説明するフローチャートであり、図１４はその処理時における表示画面の画面遷移を示す図である。
【００６３】
図１３に示す第２のパターン表示処理では、まず表示するテストパターンのパターン番号ｎが初期値であるｎ＝１に設定される（ステップＳ３１）。パターン番号ｎが設定されると、そのパターン番号ｎのテストパターン［ｎ］のデータが記憶部１６から読み出される。そして、テストパターン［ｎ］が表示画面上の予め定められた初期位置に配置され、かつそのテストパターン［ｎ］の背景領域の駆動レベルがテストパターン［ｎ］の基準ターゲットと同一駆動レベルＤＤＬＫ［ｎ］に設定された表示画面データが生成される。生成された表示画面データはその各表示領域の駆動レベル情報とともに表示部１３に出力され、表示部１３では駆動レベル情報に従ってモニタの表示駆動が行われて、テストパターン［ｎ］の表示画面が表示される（ステップＳ３２）。
【００６４】
図１４は、テストパターン［１］、［３］、［５］の各表示画面例を示す図である。テストパターン［３］を例に説明すると、テストパターン［３］は表示画面上の初期位置として予め定められた位置に配置されて表示される。テストパターン［ｎ］の背景領域は基準ターゲットと同一駆動レベルＤＤＬＫ［ｎ］で表示駆動されるので、基準ターゲットと同一輝度レベルで表示されることとなる。なお、図中の点線はテストパターン［ｎ］が移動可能な領域として予め定められている領域範囲ｒを示すものであり、実際に表示画面上に表示されるものではない。
【００６５】
テストパターン［ｎ］が表示されると、その表示された初期位置から０．５ｃｍ／ｓの速度でテストパターン［ｎ］の表示位置の移動が開始される（ステップＳ３３）。なお、テストパターン［ｎ］は領域ｒ内で移動される。
【００６６】
このようにしてテストパターン［ｎ］が表示されると、オペレータは操作部１２を介して、テストパターン［ｎ］中の調整ターゲットと基準ターゲットの輝度レベル差が目視により視認できる最小の輝度レベル差となるまで、調整ターゲットの輝度レベルを上げる又は下げる調整操作を行う。なお、この調整操作の間、表示画面上のテストパターン［ｎ］は一定速度で移動している。
【００６７】
医用画像表示装置１０では、操作部１２を介して調整ターゲットの輝度調整の操作がなされると、その操作信号が信号解析され、輝度レベルを上げる又は下げるの何れか操作指示されたか否かが判別される（ステップＳ３４）。輝度レベルを上げるように操作指示された場合（ステップＳ３４；ｕｐ）、調整ターゲットの駆動レベルＤＤＬＴ［ｎ］が１レベル分増加され、表示中の調整ターゲットが増加された駆動レベルＤＤＬＴ［ｎ］で表示駆動される（ステップＳ３５）。一方、輝度を下げるように操作指示された場合（ステップＳ３４；ｄｏｗｎ）、調整ターゲットの駆動レベルＤＤＬＴ［ｎ］が１レベル分下げられ、表示中の調整ターゲットが下げられた駆動レベルＤＤＬＴ［ｎ］で表示駆動される（ステップＳ３６）。調整操作については第１実施形態における第１のパターン処理時と同様であるので、ここでは詳細を省略する。
【００６８】
駆動レベルの調整操作が行われると、調整操作が終了したか否かが判別され（ステップＳ３７）、まだ操作部１２を介して調整操作が行われている場合は（ステップＳ３７；Ｎ）、ステップＳ３４の処理に戻り、入力される操作指示に従って輝度レベルが調整される。一方、調整操作が終了した場合（ステップＳ３７；Ｙ）、調整終了時におけるテストパターン［ｎ］の調整ターゲットの駆動レベルＤＤＬＴ′［ｎ］が判別され、当該駆動レベルＤＤＬＴ′［ｎ］と基準ターゲットの駆動レベルＤＤＬＫ［ｎ］との差ΔＤＤＬjnd［ｎ］が算出される（ステップＳ３８）。
【００６９】
次いで、全てのテストパターン［ｎ］について上述した調整操作が終了したか否かが判別される（ステップＳ３９）。全てのテストパターンについて調整操作が終了していない場合（ステップＳ３９；Ｎ）、パターン番号ｎが１だけインクリメントされる（ステップＳ４０）。そして、ステップＳ３２の処理に戻り、次のテストパターン［ｎ］について調整操作が繰り返される。すなわち、図１４に示すように一画面に一のテストパターン［ｎ］のみが表示され、そのパターン番号順に各テストパターン［ｎ］が順次切り替え表示されていく。
【００７０】
そして、全てのテストパターン［ｎ］が表示され、調整操作が終了した場合（ステップＳ３９；Ｙ）、図８に示すＬＵＴ作成処理に移行する。ＬＵＴ作成処理については、第１実施形態と同様の処理が行われるので、その説明は省略する。
【００７１】
以上のように、第２実施形態によれば、キャリブレーション用のテストパターンを表示する際に、一画面に一パターンづつ切り替え表示させる。よって、オペレータの視野に視認すべきテストパターン以外の他のテストパターンが入ることにより、視認精度が低下することを防止することができる。よって、より正確なキャリブレーションを行うことができる。
【００７２】
また、各切替画面において表示されたテストパターン［ｎ］は、その画面上で表示位置が移動され、表示位置が常に変化するので、各切替画面において表示されたテストパターン［ｎ］が残像となってオペレータの目に残ることを防ぐことができる。従って、前画面のテストパターン［ｎ］が後の画面で表示されるテストパターン［ｎ］に与える影響を軽減することができ、オペレータの視認精度が低下することを防止することができる。
【００７３】
さらに、各切替画面では、テストパターン［ｎ］の背景領域は当該テストパターン［ｎ］の基準ターゲットと同一駆動レベルＤＤＬＫ［ｎ］であるため同一輝度レベルで表示される。このように、テストパターン［ｎ］の輝度レベルと背景領域の輝度レベルとを対応させることにより、オペレータの目がその輝度レベルに順応し視認精度が向上する。なお、本実施形態では背景領域の駆動レベルを基準ターゲットと同一駆動レベルＤＤＬＫ［ｎ］とすることとしたが、テストパターン［ｎ］の輝度レベルに対応して背景領域の輝度レベルも変化するのであれば、例えば背景領域の駆動レベルをＤＤＬＫ［ｎ］とＤＤＬＴ［ｎ］の平均値とする、ＤＤＬＫ［ｎ］〜ＤＤＬＴ［ｎ］の範囲内で設定する等、他の値を設定することとしてもよい。
【００７４】
また、本実施形態では、方形パターンを用いた例を説明したが、ラインパターンを用いた場合も同様の処理が行われる。図１５に、ラインパターンが使用された場合の画面遷移図を示す。方形パターンの場合と同様に一画面に一パターンづつ切替表示され、画面が切り替わる毎にラインパターンの表示位置が移動されている。
【００７５】
〈第３実施形態〉
第３実施形態では、複数のテストパターンを一画面に一パターンづつ切り替えて表示するとともに、各切替画面におけるテストパターンの表示サイズをその画面内で変化させて表示する例を説明する。
【００７６】
まず、構成について説明する。
第３実施形態の医用画像表示装置は、第１実施形態の医用画像表示装置１０と略同一構成であるのでその図示を省略し、同一構成部分には同一の符号を付して異なる機能部分についてのみ説明する。すなわち、第３実施形態における医用画像表示装置１０は、制御部１１、操作部１２、表示部１３、通信部１４、ＲＡＭ１５、記憶部１６から構成されている。
【００７７】
制御部１１は、第３のパターン表示処理プログラムを記憶部１６から読み出し、このプログラムに従って各部の処理動作を制御する。
第３のパターン表示処理では、Ｎ個のテストパターン［ｎ］を表示部１３に表示させる際、制御部１１は一画面に一のテストパターン［ｎ］を配置した画面データをそのテストパターン［ｎ］に設定された駆動レベルの情報とともに表示部１３に出力することにより、一画面に一パターンづつ切り替え表示させる。また、各切替画面においてその画面上に表示するテストパターン［ｎ］の表示サイズを一定速度で拡大又は縮小することにより、変化させる。すなわち、制御部１１と第３のパターン処理プログラムとの協働により、制御手段を実現することができる。
【００７８】
記憶部１６は、第３のパターン表示処理プログラムを記憶する。また、この第３のパターン表示処理時に必要なパラメータ情報、例えばテストパターン［ｎ］の表示サイズを変化させる際の速度（本実施形態では、１ｃｍ2／ｓとする）のパラメータや、表示サイズを拡大できる最大サイズ及び縮小できる最小サイズのパラメータ等を記憶している。
【００７９】
次に、第３実施形態の医用画像表示装置１０の動作について説明する。
図１６は、医用画像表示装置１０により実行される第３のパターン表示処理を説明するフローチャートであり、図１７はその処理時に表示される表示画面例を示す図である。
【００８０】
図１６に示す第３のパターン表示処理では、まず表示するテストパターンのパターン番号ｎが初期値であるｎ＝１に設定される（ステップＳ６１）。パターン番号ｎが設定されると、そのパターン番号ｎのテストパターン［ｎ］のデータが記憶部１６から読み出される。そして、テストパターン［ｎ］が表示画面上の予め定められた初期位置に配置され、そのテストパターン［ｎ］の背景領域の駆動レベルがテストパターン［ｎ］の基準ターゲットと同一駆動レベルＤＤＬＫ［ｎ］に設定された表示画面データが生成される。生成された表示画面データはその各表示領域の駆動レベル情報とともに表示部１３に出力され、表示部１３では駆動レベル情報に従ってモニタの表示駆動が行われ、テストパターン［ｎ］を含む表示画面データが表示される（ステップＳ６２）。
【００８１】
テストパターン［ｎ］が表示されると、その表示された初期位置から１ｃｍ2／ｓの速度でテストパターン［ｎ］の表示サイズの変化が開始され、拡大又は縮小が繰り返される（ステップＳ６３）。
【００８２】
図１７は、テストパターン［３］の表示画面の変化を示す図である。
図１７に示すように、テストパターン［３］は表示画面全体のうち、初期位置として予め定められた位置（画面中央部）に表示されている。テストパターン［３］の背景領域は基準ターゲットと同一駆動レベルＤＤＬＫ［３］で表示駆動されるので、基準ターゲットと同一輝度レベルで表示されることとなる。
テストパターン［３］は、時間が経過する毎に徐々に拡大され、最大サイズとして予め設定されているサイズに達すると、その最大サイズから徐々にサイズが縮小される。そして、最小サイズとして予め設定されているサイズに達すると、再度サイズの拡大が行われる。つまり、表示画面ｄ３１、ｄ３２、ｄ３３がｄ３１→ｄ３２→ｄ３３の順番で表示されると、今度は逆にｄ３３→ｄ３２→ｄ３１の順番で表示され、テストパターン［ｎ］に対する輝度調整が終了するまでの間、その表示サイズの拡大又は縮小が繰り返し行われる。
【００８３】
以上のようにしてテストパターン［ｎ］が表示されると、オペレータは操作部１２を介して、テストパターン［ｎ］中の調整ターゲットと基準ターゲットの輝度レベル差が目視により視認できる最小の輝度レベル差となるまで、調整ターゲットの輝度レベルを上げる又は下げる調整操作を行う。なお、この調整操作の間、表示画面上のテストパターン［ｎ］は一定速度でそのサイズが変化している。
【００８４】
医用画像表示装置１０では、操作部１２を介して調整ターゲットの輝度調整の操作がなされると、その操作信号が信号解析され、輝度レベルを上げる又は下げるの何れか操作指示されたか否かが判別される（ステップＳ６４）。輝度レベルを上げるように操作指示された場合（ステップＳ６４；ｕｐ）、調整ターゲットの駆動レベルＤＤＬＴ［ｎ］が１レベル分増加され、表示中の調整ターゲットが増加された駆動レベルＤＤＬＴ［ｎ］で表示駆動される（ステップＳ６５）。一方、輝度を下げるように操作指示された場合（ステップＳ６４；ｄｏｗｎ）、調整ターゲットの駆動レベルＤＤＬＴ［ｎ］が１レベル分下げられ、表示中の調整ターゲットが下げられた駆動レベルＤＤＬＴ［ｎ］で表示駆動される（ステップＳ６６）。調整操作については、第１実施形態における第１のパターン表示処理の場合と同様であるので、ここでは詳細説明を省略する。
【００８５】
駆動レベルの調整操作が行われると、調整操作が終了したか否かが判別され（ステップＳ６７）、まだ操作部１２を介して調整操作が行われている場合は（ステップＳ６７；Ｎ）、ステップＳ６４の処理に戻り、入力される操作指示に従って輝度レベルが調整される。一方、調整操作が終了した場合（ステップＳ６７；Ｙ）、調整終了時におけるテストパターン［ｎ］の調整ターゲットの駆動レベルＤＤＬＴ′［ｎ］が判別され、当該駆動レベルＤＤＬＴ′［ｎ］と基準ターゲットの駆動レベルＤＤＬＫ［ｎ］との差ΔＤＤＬjnd［ｎ］が算出される（ステップＳ６８）。
【００８６】
次いで、全てのテストパターン［ｎ］について上述した調整操作が終了したか否かが判別される（ステップＳ６９）。全てのテストパターンについて調整操作が終了していない場合（ステップＳ６９；Ｎ）、パターン番号ｎが１だけインクリメントされ（ステップＳ７０）、ステップＳ６２の処理に戻り、次のテストパターン［ｎ］について調整操作が繰り返される。すなわち、一画面に一のテストパターン［ｎ］のみが表示され、そのパターン番号順に各テストパターン［ｎ］が順次切り替え表示されていく。
【００８７】
そして、全てのテストパターン［ｎ］が表示され、調整操作が終了した場合（ステップＳ６９；Ｙ）、図８に示すＬＵＴ作成処理に移行する。ＬＵＴ作成処理については、第１実施形態と同様の処理が行われるので、その説明は省略する。
【００８８】
以上のように、第３実施形態によれば、キャリブレーション用のテストパターンを表示する際に、一画面に一パターンづつ切り替え表示させる。よって、オペレータの視野に視認すべきテストパターン以外の他のテストパターンが入ることにより、視認精度が低下することを防止することができる。よって、より正確なキャリブレーションを行うことができる。
【００８９】
また、各切替画面において表示されたテストパターン［ｎ］は、その画面内で表示サイズが拡大又は縮小され、常に表示サイズが変化するので、各切替画面において表示されたテストパターン［ｎ］が残像となってオペレータの目に残ることを防ぐことができる。従って、前画面のテストパターン［ｎ］がその後の画面で表示されるテストパターン［ｎ］に与える影響を軽減することができ、オペレータの視認精度が低下することを防ぐことができる。
【００９０】
なお、本実施形態では、各切替画面内でテストパターン［ｎ］の表示サイズを変化させることとしたが、各画面内では固定サイズであるが、画面を切り替える毎に異なる表示サイズで表示させることとしてもよい。
【００９１】
さらに、各切替画面では、テストパターン［ｎ］の背景領域は当該テストパターン［ｎ］の基準ターゲットと同一駆動レベルＤＤＬＫ［ｎ］であるため同一輝度レベルで表示される。このように、テストパターン［ｎ］の輝度レベルと背景領域の輝度レベルとを対応させることにより、オペレータの目がその輝度レベルに順応し視認精度が向上する。なお、本実施形態では背景領域の駆動レベルを基準ターゲットと同一駆動レベルＤＤＬＫ［ｎ］とすることとしたが、テストパターン［ｎ］の輝度レベルに対応して背景領域の輝度レベルも変化するのであれば、例えば背景領域の駆動レベルをＤＤＬＫ［ｎ］とＤＤＬＴ［ｎ］の平均値とする、ＤＤＬＫ［ｎ］〜ＤＤＬＴ［ｎ］の範囲内で設定する等、他の値を設定することとしてもよい。
【００９２】
なお、本実施形態では、方形パターンを用いた例を説明したが、ラインパターンを用いた場合も同様の処理が行われる。つまり、方形パターンの場合と同様に一画面に一パターンづつ切替表示され、各切替画面においてそのラインパターンの拡大又は縮小が繰り返されてサイズが変化する。
【００９３】
また、上述した説明では、テストパターン［ｎ］を表示画面に対し所定の比率で表示し、そのサイズを変化させることとしたが、図１８に示すように、方形パターンを画面全体に表示してその調整ターゲットのサイズ及び形状を変化させることとしてもよい。図１８に示す例では、調整ターゲットの表示領域が四角形から多角形にその形状が変化させ、さらに多角形から円形に変化させている。また、形状の変化に伴ってそのサイズも縮小させて表示する。このように、形状を変化させることにより、残像が生じることを防止することができる。
【００９４】
また、第１〜第３の実施形態を組み合わせてテストパターン［ｎ］を表示することとしてもよい。例えば、第１及び第３の実施形態を組み合わせて、画面を切り替える毎にテストパターン［ｎ］の表示位置を移動させるとともに、かつ各切替画面内ではテストパターン［ｎ］の表示サイズを常に変化させることとしてもよい。
【図面の簡単な説明】
【００９５】
【図１】本実施の形態における医用画像表示装置１０の内部構成を示す図である。
【図２】パターン表示処理時に表示されるテストパターン［ｎ］を示す図である。
【図３】テストパターン［ｎ］を形成する２つの表示領域について説明する図である。
【図４】ラインペアにより形成されるテストパターン［ｎ］例を示す図である。
【図５】テストパターン［ｎ］を形成するラインペアについて説明する図である。
【図６】医用画像表示装置１０により実行される第１のパターン表示処理を説明するフローチャートである。
【図７】第１実施形態におけるテストパターン［ｎ］の表示画面例を示す図である。
【図８】医用画像表示装置１０により実行されるＬＵＴ作成処理を説明するフローチャートである。
【図９】関数ｇ（ＤＤＬ）を示す図である。
【図１０】関数ｈ（ＤＤＬ）を示す図である。
【図１１】医用画像表示装置１０の表示階調特性を補正する補正曲線を示す図である。
【図１２】ラインペアからなるテストパターン［ｎ］の表示例を示す図である。
【図１３】第２実施形態における第２のパターン表示処理を説明するフローチャートである。
【図１４】第２実施形態におけるテストパターン［ｎ］の表示画面例を示す図である。
【図１５】ラインパターンの場合のテストパターン［ｎ］の表示画面例を示す図である。
【図１６】第３実施形態における第３のパターン表示処理を説明するフローチャートである。
【図１７】第３実施形態におけるテストパターン［ｎ］の表示例を示す図である。
【図１８】テストパターン［ｎ］の形状を変化させた表示画面例を示す図である。
【図１９】従来のテストパターン例を示す図である。
【符号の説明】
【００９６】
１０    医用画像表示装置
１１    制御部
１２    操作部
１３    表示部
１４    通信部
１５    ＲＡＭ
１６    記憶部
【図１】
2006000199.tif 000006
【図６】
2006000199.tif 000007
【図８】
2006000199.tif 000008
【図９】
2006000199.tif 000009
【図１０】
2006000199.tif 000010
【図１１】
2006000199.tif 000011
【図１３】
2006000199.tif 000012
【図１６】
2006000199.tif 000013
【図２】
2006000199.tif 000014
【図３】
2006000199.tif 000015
【図４】
2006000199.tif 000016
【図５】
2006000199.tif 000017
【図７】
2006000199.tif 000018
【図１２】
2006000199.tif 000019
【図１４】
2006000199.tif 000020
【図１５】
2006000199.tif 000021
【図１７】
2006000199.tif 000022
【図１８】
2006000199.tif 000023
【図１９】
2006000199.tif 000024